(57)【特許請求の範囲】
【請求項１】
上下に管接続部を設けたケーシングの内部に、下方に面し且つ斜めに傾斜した管状部開口端面を形成すると共に、該開口端面の傾斜面上端側に設けた支軸に揺動自在に支持され、前記開口端面に下側より接離し該開口端面を開閉可能とした揺動弁体、及び、該弁体を閉鎖方向に付勢するバランスウエイトを設けた弁トラップにおいて、
前記ケーシングの上側の管接続部には、全長に亘り上流側排水管に外嵌可能な筒状をなし且つ下端において前記上側管接続部に嵌入可能な嵌入部を有するゴムスリーブを設け、該ゴムスリーブを介して上側管接続部と排水管とを接続し、且つ、該ゴムスリーブは、少なくとも前記上側管接続部と上流側排水管との間に、下側管接続部と下流側排水管との嵌合長以上のクリアランスを確保しつつ、十分な嵌合長が得られる長さ寸法としたことを特徴とする弁トラップ。
【発明の詳細な説明】
【０００１】
【発明の属する技術分野】
本発明は弁トラップに関する。
【０００２】
【従来の技術】
従来、排水管には出口側からの悪臭や害虫等の侵入を防止する目的でＳ字トラップが設けられていた。このＳ字トラップは排水管の折曲部分に溜った排水によって悪臭や害虫等の侵入を防止するためのものであるため、折曲部分に常に一定量の排水が残留する上、固形物等が詰まり易い問題等を有していた。
【０００３】
そこで、本出願人は、管口を開閉可能な揺動弁体にバランスウエイトを設け、排水が無い時はバランスウエイトによって該弁体で管口を閉鎖すると共に、排水時には該排水の重量或いは流水圧で弁体を開き、排水を流下させる弁トラップを開発した（特許文献１参照）。この弁トラップは、小型で残留排水が少なく機構的にシンプルであるため殆どメンテナンスを必要としないが、使用状況によっては、弁体と管口との接触部分に沿って付着残留した水垢等によって弁体が管口に密着し、弁トラップの開閉性が悪化することがあり、そのような場合には、排水管から弁トラップを外して掃除などを行う必要があり、手間を要した。
【０００４】
そこで、上下のケーシングと弁トラップユニットとを別体とし、弁トラップユニットのみを取り出せるようにしメンテナンスを容易に行えるようにすることが考えられた（特許文献２参照）。しかし、一般家庭の排水や空調機器のドレン排水と異なり、食品工業の製造プラント等では弁トラップ自体を頻繁に取り外して洗浄・消毒する必要があり、より簡単に着脱できる構成が望まれることとなった。
【０００５】
【特許文献１】
実公昭６３−２３４８９号公報
【特許文献２】
特許第３０００５２５号公報
【０００６】
【発明が解決しようとする課題】
本発明は従来の技術の上記の点に鑑みて、排水管から容易に取り外してメンテナンスを行うことができる弁トラップを提供することを目的としてなされたものである。
【０００７】
【課題を解決するための手段】
上記目的を達成するために、本発明の弁トラップでは、上下に管接続部を設けたケーシングの内部に、下方に面し且つ斜めに傾斜した管状部開口端面を形成すると共に、該開口端面の傾斜面上端側に設けた支軸に揺動自在に支持され、前記開口端面に下側より接離し該開口端面を開閉可能とした揺動弁体、及び、該弁体を閉鎖方向に付勢するバランスウエイトを設けた弁トラップにおいて、前記ケーシングの上側の管接続部には、全長に亘り上流側排水管に外嵌可能な筒状をなし且つ下端において前記上側管接続部に嵌入可能な嵌入部を有するゴムスリーブを設け、該ゴムスリーブを介して上側管接続部と排水管とを接続し、且つ、該ゴムスリーブは、少なくとも前記上側管接続部と上流側排水管との間に、下側管接続部と下流側排水管との嵌合長以上のクリアランスを確保しつつ、十分な嵌合長が得られる長さ寸法とした。
【０００８】
【発明の実施の形態】
図１乃至図３に本発明の実施形態の弁トラップ１を示す。図において、弁トラップ１は、上下に管接続部２ａ，２ｂを設け、且つ、該上側の管接続部２ａには、ゴムスリーブ３を嵌入可能なケーシング２の内部に揺動弁体４を設けてなる。
【０００９】
ケーシング２は、上部ケーシング２１と、下部ケーシング２２とからなる。上部ケーシング２１は、管接続部２ａを下方に延長してなる短円筒体の下半分を斜（３０°〜４５°）に切除した形状をなす管状部２３を形成するとともに、該管状部２３の上端側部分には図中右側に膨出した膨出部２４を形成している。
【００１０】
また、上記管状部２３の傾斜した開口端面２５の上端側約１／４（開口面積比にして約１／１０）に相当する弓形部分に張出片２６を形成し、且つ、張出片２６を形成した部分の下側には、前記膨出部２４の下方に突出した半円筒状の突縁２７に渡設した支軸２９に弁体４を揺動自在に支持している。尚、突縁２７と管状部２３とは一連に形成され、下部ケーシング２２との嵌合部分をなしている。下部ケーシング２２は、上部ケーシング２１と嵌合する上端側部分２８が弁体４の後方側に膨出した長円筒形状をなしている。
【００１１】
弁体４は、外形状が前記傾斜した開口端面２５と同形状の略楕円形状をなす弁主体部４１とそれに連なる平板状の錘保持部４２とで構成され、該錘保持部４２にはバランスウェイト４３を固定している。また錘保持部４２は弁主体部４１に対して屈折して連設され、屈折部分には前記支軸２９を挿通する軸受部４４を形成している。
【００１２】
ゴムスリーブ３は、その全長に亘り排水管Ｄａに外嵌可能な筒状をなし且つ下端においては前記上側管接続部２ａに嵌入可能な嵌入部３ａを有する。該嵌入部３ａの外周面には突縁３ｂを形成し、管接続部２ａに嵌入した際の密閉度を高める一方、管接続部２ａから抜脱する際に容易に抜脱可能としている。ゴムスリーブ３の材質は、適度な強度と弾性、耐水性を有するものであれば特に限定されるものではなく、天然ゴム、合成ゴム、エラストマーなどの各種ゴム様物質、弾性材料を使用でき、使用環境に応じて耐侯性、耐薬品性などを考慮して選択される。実施例ではゴムスリーブ３にシリコンゴムを使用している。
【００１３】
そして、ゴムスリーブ３は、図１及び２に示すように、上側管接続部２ａと上流側排水管Ｄａとの間に、下側管接続部２ｂと下流側排水管Ｄｂとの嵌合長ｅ以上のクリアランスｃを確保し、且つ、上側管接続部２ａ及び上流側排水管Ｄａとの間に十分な嵌合長ｆ１，ｆ２が得られるような長さ寸法としている。また、上側管接続部２ａはゴムスリーブ３の嵌入部３ａの厚味を考慮して、下側管接続部２ｂに比べて内径が大きくなっている。
【００１４】
以上の如く構成された弁トラップ１は、排水が無い時はバランスウエイト４３の重量によって該弁体４で開口端面２５は閉鎖され、排水管２ｂ側からの悪臭や害虫等の侵入は防止され、排水時には該排水の重量或いは流水圧で弁体４を開き、排水を流下させる。
【００１５】
そして、清掃等で弁トラップ１を排水管Ｄａ，Ｄｂの間から取り外す場合には、ゴムスリーブ３を押し上げ上側管接続部２ａから抜脱した後、上側管接続部２ａと上流側排水管Ｄａとの間のクリアランスｃを利用して、弁トラップ１を外すことができ、清掃や、殺菌・消毒などを容易に行なえる。
【００１６】
尚、上記実施形態では、上部のケーシング２１の管状部２３が下部ケーシング２２と密着している形態の場合を示したが、管状部２３が下部ケーシング２２の中間部に位置していても良い。また、各部材の材質は特に限定されるものではないが、ケーシング、特に下部ケーシング２２は樹脂等の透明な部材で構成することが好ましい。
【００１７】
【発明の効果】
本発明弁トラップは、上述の通り構成されているので、ゴムスリーブを上方にスライドさせるだけで弁トラップをケーシングごと排水管の中間部から取り外し、メンテナンや清掃を容易且つ確実に行なうことができ、特に、弁トラップ自体を頻繁に取り外して洗浄・消毒する必要があるような場合に最適である。
【図面の簡単な説明】
【図１】本発明実施形態の弁トラップの装着状態を示す側断面図である。
【図２】本発明実施形態の弁トラップの、ゴムスリーブを上方にスライドした状態を示す側断面図である。
【図３】（ａ）は本発明実施形態の弁トラップの装着状態、（ｂ）はゴムスリーブを上方にスライドした状態を示す斜視図である。
【符号の説明】
１  弁トラップ
２  ケーシング
２ａ、２ｂ  管接続部
３  ゴムスリーブ
３ａ  嵌入部
３ｂ  突縁
４  弁体
２１  上部ケーシング
２２  下部ケーシング
２３  管状部
２５  開口
４３  バランスウエイト
Ｄａ，Ｄｂ  排水管
【図１】
0003666481.tif 000002
【図２】
0003666481.tif 000003
【図３】
0003666481.tif 000004